(57)【要約】本発明は、歯科医療処置のランプのための導光器に関する。前記導光器は、光源と歯科基材との間に光の通路を提供する。前記導光器は、使用された時間を記録する記録媒体を含む単独の患者用の導光器である。前記導光器は、さらに処置の間中患者の柔らかな組織の防護を提供する。【選択図】図１
2008504901.tif 000002
【特許請求の範囲】
【請求項１】
光灯システムに取り外し可能に結合されるように適応された第１の端部を有する実質的に楕円形の管と、
参照装置に取り外し可能に結合されるように適応された第２の端部と、を備える導光器であって、
前記導光器が、前記光灯システムと歯科基材との間の光の通路を提供することを特徴とする導光器。
【請求項２】
前記導光器は、光が前記第２の端部以外から漏れることを防止するような形状で、かつそのように構成されたことを特徴とする、請求項１に記載の導光器。
【請求項３】
前記導光器は、透明または半透明の壁を有することを特徴とする、請求項１に記載の導光器。
【請求項４】
前記楕円形の管が誘電体材料からなることを特徴とする、請求項１に記載の導光器。
【請求項５】
前記楕円形の管は、実質的に中空であることを特徴とする、請求項１に記載の導光器。
【請求項６】
前記誘電体材料はポリマーであることを特徴とする、請求項４に記載の導光器。
【請求項７】
前記導光器は、可視光を通す一方でＵＶ光を吸収する分光吸収特性を持ったポリマー材料で作られていることを特徴とする、請求項１に記載の導光器。
【請求項８】
前記導光器は、光波長の少なくとも１つの範囲を吸収する材料で作られていることを特徴とする、請求項１に記載の導光器。
【請求項９】
前記導光器は、光波長の少なくとも１つの範囲を反射する材料で作られていることを特徴とする、請求項１に記載の導光器。
【請求項１０】
前記楕円形の管は、少なくとも１つの空気孔を更に有することを特徴とする、請求項１に記載の導光器。
【請求項１１】
前記第２の端部に取り付けられる弾性部材をさらに有し、前記弾性部材は前記導光器と前記参照装置との間の緩衝材を形成することを特徴とする、請求項１に記載の導光器。
【請求項１２】
前記光灯システムは、幾何学的に配置される少なくとも１つの光源を含む照明枠を有することを特徴とする、請求項１に記載の導光器。
【請求項１３】
前記参照装置は、開唇デバイスを有することを特徴とする、請求項１に記載の導光器。
【請求項１４】
前記導光器は、消毒可能でない材料、オートクレーブ滅菌が出来ない材料、またはその混合材料を含むことを特徴とする、単独患者用に適した請求項１に記載の導光器。
【請求項１５】
光灯システムを信頼性良くターゲットの近くに位置決めすることを容易にさせる位置決めシステムをもたらす少なくとも１つの構成を有する、実質的に楕円形の管を含む導光器。
【請求項１６】
前記少なくとも１つの構造は、前記光灯システム内の少なくとも１つの対応する構造を内部係合させる少なくとも１つの内部係合構造を含むことを特徴とする、請求項１５に記載の導光器。
【請求項１７】
前記少なくとも１つの構造は、参照装置内の少なくとも１つの対応する構造を内部係合させる少なくとも１つの内部係合構造を含むことを特徴とする、請求項１５に記載の導光器。
【請求項１８】
前記参照装置は、開唇デバイスを含むことを特徴とする、請求項１７項に記載の導光器。
【請求項１９】
前記光灯システムは、幾何学的に配置される少なくとも１つの光源を含む照明枠を含むことを特徴とする、請求項１５に記載の導光器。
【請求項２０】
前記弾性部材は、エラストマー、発泡材、生物分解性材料、およびそれらの組み合わせからなる群から選択される材料から作られていることを特徴とする、請求項１１に記載の導光器。
【請求項２１】
光源に取り外し可能に結合されるように適応された１つの端部に、第１の開口を有する実質的に楕円形の管と、
開唇デバイスに取り外し可能に結合されるように適応された第２の端部での第２の開口と、
使用信号の期間の記録を格納するために前記管の下側に配置されたメモリー回路とを含む、単独患者用の導光器。
【請求項２２】
前記メモリー回路は、導光器が使用されてきた期間を示す、導光器の外部に配置された制御手段とインターフェースすることを特徴とする、請求項２１に記載の単独患者用の導光器。
【請求項２３】
前記第２の端部に取り付けられた弾性部材を有し、前記弾性部材は前記光源と前記開唇デバイスとの間の緩衝材を形成することを特徴とする、請求項２１に記載の単独患者用の導光器。
【請求項２４】
光源に取り外し可能に結合されるように適応された１つの端部に、第１の開口を有する実質的に楕円形の管と、
開唇デバイスに取り外し可能に結合されるように適応された第２の端部での第２の開口と、
使用信号の期間の記録を格納するために前記管に結合された記憶媒体とを含む、単独患者用の導光器。
【請求項２５】
前記記憶媒体は、メモリー集積回路であることを特徴とする、請求項２４に記載の単独患者用の導光器。
【請求項２６】
前記メモリー集積回路は、１回書き込み多数回読み取りのメモリーデバイスであることを特徴とする、請求項２５に記載の単独患者用の導光器。
【請求項２７】
前記光灯システムは、相変化材料を含む少なくとも１つのヒートシンクを含むことを特徴とする、請求項１に記載の導光器。
【発明の詳細な説明】
【技術分野】
【０００１】
本発明は、歯科医療で使用されるランプシステムに関する。特には、本発明は歯科用硬化または歯科用漂白において使用されるランプシステムに関する。
【背景技術】
【０００２】
歯は、内層の象牙質と、獲得ペリクル（acquired pellicle）と呼ばれる保護層で覆われた外層の固いエナメル質とを含む。前記のエナメル質層は、いくらか多孔質な表面を形成するヒドロキシアパタイト（hydroxyapatite）結晶で構成されている。ペリクルまたはエナメル質は染みができたり、変色することがある。これはエナメル層が多孔質であるために、染みの原因となる物質や着色する物質がエナメル質層を透過し歯を変色させるためであると信じられている。
【０００３】
歯の変色には多くの原因がある。例えば、歯はコーヒーやお茶を飲むことで、またはタバコ製品の使用によって、または高ミネラル含有の水を飲むことによって染みが出来てくる。
【０００４】
歯を汚す問題に対する１つの解決法は、歯の漂白である。練り歯磨き、歯磨きゲル、歯磨き粉などのいくつかの歯磨き剤は、活性酸素または過酸化水素を遊離する漂白剤を含んでおり、この漂白剤は、過酸化物、過炭素塩、アルカリおよびアルカリ土類金属の過ホウ素塩、または過酸化水素を含む合成化合物を含んでいる。
【０００５】
歯の漂白は、歯科医院でも家庭のいずれでも行うことが出来る。歯科医院で行う漂白は、一般に、プロセスの高速化のために適切な出力波長をもつ光源によって活性化出来る化合物を使用する。さらに、歯科医院で使用される漂白材料は、典型的には家での適用に見られる漂白材料よりも高濃度の漂白剤を含んでいる。
【０００６】
染みに加えて、歯は虫歯やその他の損傷によって腐朽する。歯の修復および治療の分野では、可視光、および／または紫外光に感光性のある材料によって、虫歯は充填かつ密閉、あるいはその一方の処置を受ける。これらの材料は、通常、光硬化性化合物（light-curable compound）として公知であり、前処置の虫歯の中、または歯の表面で歯科用硬化用ライトデバイスからの光を照射して硬化させるために使用する。
【０００７】
一般的に比較的速いプロセスである歯の硬化および歯科用画像撮像プロセスとは違って、歯の漂白は長時間を要し、時には１回の通院で１時間以上にも及ぶ。また、歯の復元はしばしば歓迎されない経験である。したがって、歯の復元または漂白に耐える人を、出来るだけ快適にすることは有益である。
【０００８】
処置は、通常歯科用椅子で行われる。典型的には、歯科用椅子は広範囲に可動自在であり、患者がほとんど完全に横たわった位置からほぼ直立した姿勢までをとることができる。効率的な漂白または復元プロセスのために、光源は口腔と一直線上にあることが必要とされる。広範囲に動く歯科用椅子に対する、このような光源の位置調整は難しい。
【０００９】
歯の処置のプロセスにおけるさらなる考慮には、光源、および特には患者と接触するようになるあらゆる部分を清潔に保つ能力が含まれる。さらに、漂白のプロセスは、例えば、光源が歯を所望の程度まで漂白するのに必要なだけ長い間点灯しているように最適化される。さらにまた、光源は、可能な限り効率的であることが望ましい。効率的なランプは非効率なランプに比べて、より冷えており、したがってより安全である。また、効率的なランプは、非効率なランプよりも少ないエネルギーで作動する。
【発明の開示】
【発明が解決しようとする課題】
【００１０】
歯の漂白、硬化および撮像のための効率的で快適な装置および方法が望まれる。
【課題を解決するための手段】
【００１１】
本発明は、歯の処置の光灯システムのための導光器に関する。導光器は、光灯システムに関して位置決めする少なくとも１つの構造を含み、また、光源と歯科基材との間の光通路を提供する。
【００１２】
本発明は、また、患者の準備を早め、歯の処置における最適な結果を得ることを容易にする位置調整システムに係わる。
【００１３】
本発明の一実施例において、導光器は、光源に結合されるように適応された第１の端部と、参照装置（a reference device）に結合されるように適応された第２の端部を有する。
【００１４】
本発明の１態様によれば、光灯システムは、光灯システムと導光器が並置された時に、導光器の少なくとも１つの構造に内部係合するように適応された少なくとも１つの構造を含む。本発明の一実施例によるその構造は、ハウジングと導光器の間の確実で分離可能な結合をもたらす。
【００１５】
他の態様において、参照装置は、導光器と参照装置が並置された時に、導光器の少なくとも１つの構造に内部係合するように適応された少なくとも１つの構造を含む。参照装置は、導光器の第２の端部と対象の患者の歯の表面との間に障害のない光路をもたらすために、対象の患者の唇を引っ込ませるように適応された開唇デバイス（a lip retracting device）であるかもしれない。
【００１６】
一実施例において、導光器は、この導光器を、そして結果的にランプヘッドと光源とを、目標に対して実質的に一定の位置および方向に位置決めするために、この導光器を参照装置と分離可能に結合するように適応された構造を含む。
【００１７】
本発明は、また、光源からの結合光を歯科治療の目標物へと向けるための、望ましい特徴と改良点を持った方法および装置を含む。
【００１８】
本発明の第１の実施例において、管状の導光器は、例えば歯科用漂白化合物材料、クリーニングおよび／または漂白剤、または充填化合物を活性化するための紫外光光源、または、例えばＸ線を使った直接撮影かまたは間接撮影または透過照明によって患者の歯の像を生成するための光源のような、少なくとも１つの光源を含む、歯の漂白ライト、硬化ライト、または撮影用光源に結合している。
【００１９】
本発明の１つの態様において、以下に述べるさまざまな実施例によれば、光源から、例えば歯の表面に置かれた漂白剤または歯の表面または虫歯の中にある充填材のような目標へ向かう光路が管状の導光器内に設けられる。一実施例において、光路は、光源、および光源とターゲットとの間の導光器のような連結媒体を含む。
【００２０】
一実施例において、導光器は中空の内部を有する。中空の内部は周辺の空気で満たされる。したがって、光源によって導光器の第１の端面に当てられる光は中空の内部で空気を通って運ばれる。本発明のさまざまな他の実施例において、導光器は、それに限定はされないが、シリコンガラス絶縁体、石英ガラス絶縁体、ポリマー絶縁体、油絶縁体、水絶縁体、および他の絶縁体、およびそれらの組み合わせを含む多種の絶縁体を含む。さらに、導光器は、真空絶縁の領域を含んでも良い。光の連結に対する、特別な歯の治療および患者の要求に拠っては、光を導くあらゆる適切な媒体も本発明の範囲内で熟慮されるものとして考えられる。
【００２１】
一実施例において、導光器は、歯に適用されるあらゆる歯の処置材の蒸発を最小化し、また、感度を減少させる。
【００２２】
導光器の他の実施例において、導光器は、可視光が導光器の壁を容易に通過し、一方紫外光は壁によって吸収されるか、または、例えば導光器の内壁で反射されるような分光吸収特性を有するポリマーで作られる。導光器が可視光の透過を許すことで、患者の歯が導光器の壁を通してよく見えるので導光器の位置決めが容易になる。紫外波長光を吸収または反射することによって、導光器は、それに向かう紫外線放射光を内包し、かつ、付近の柔らかな組織をそのような紫外線放射光の影響から遮蔽する役目をする。
【００２３】
本発明の他の実施例において、導光器は一人の患者の処置に使用するように限定されるように適応されている。一実施例によれば、一人用の導光器は、一回書き込み多数回読み取り（ＷＯＲＭ）のメモリーデバイスを含む。本発明の特殊な態様において、ＷＯＲＭメモリーデバイスは、関連する場面の導光器の使用時間に関する信号を受信するように、また、光源のサブ制御システムの後の使用のために、信号の情報内容を実質的に永久に記録するように適応されている。
【００２４】
本発明の更なる実施例において、複数の導光器それぞれが各々の大きさの出口端を持ち、特定の出口端の大きさが特定の患者、または特定の区分の患者の口のサイズに対応する。
【００２５】
本発明のさまざまな実施例において、導光器は、漂白または硬化処置の最中に患者が快適に息をするための空気孔を含む。
【００２６】
導光器の材質は、管の内面に当たる１つまたはそれ以上の波長の光を吸収および／または反射させるように選択される。したがって、本発明の１態様に拠れば、導光器は、導光器の末端開口を通るのを除いて、対象の波長光がシステムから逃げ出す度合いを減少させる。
【００２７】
本発明の一実施例によれば、導光器は１人の患者に使用され、その後廃棄可能なように適応されている。１つの典型的な実施例において、一度使用された後導光器を他の患者に使用することを妨げるため制御機構が設けられる。他の態様の制御機構は、導光器をランプシステムに取り付けるプロセスの最中に禁止がかかるものである。
【００２８】
本発明の一実施例は、導光器の中に記録媒体を有し、また、ランプシステムのどこかに信号発生素子を有することで導光器の使用の制御を有効にする。一態様において、本発明は、信号発生素子からの信号を記録媒体が受け取ることと、受信した信号に対応する記録を記憶媒体に記録し、実質的に恒久的な信号記録を行うことを含む。本発明の他の態様において、実質的に恒久的な信号記録が媒体読み取りデバイスで読み取られ、その記録媒体を有する特定の導光器の使用状況が確認される。読み取られた記録に示された使用状況に基づいて、導光器の外にある制御装置が光源の作動を許可または禁止するように働く。
【００２９】
本発明の一実施例において、信号発生デバイスおよび記録読み取りデバイスは、ランプ容器内に配置される。本発明の他の実施例において、１つまたはそれ以上の信号発生デバイスおよび記録読み取りデバイスが、ランプヘッド容器の外側に配置される。
【００３０】
本発明の一実施例において、信号発生源からの信号は、電気機械的接続を介して記録媒体で受信される。本発明の他の実施例において、信号発生源からの信号は、光学的通信経路を介して記録媒体で受信される。本発明のなお更なる実施例において、信号発生源からの信号は、機械的通信経路、音響的通信経路、無線周波数通信経路、または本発明の特定の実施例に適するあらゆる他の通信媒体を介して記録媒体で受信される。
【００３１】
上記の、および他の優位点を持った本発明は、図に示される本発明の実施例の以下の詳細な説明によって最も良く理解される。
【発明を実施するための最良の形態】
【００３２】
以下に述べる詳細な説明は、本発明の態様に従って提供される歯科医療および関連するシステムのためにここで例示する導光器の説明として意図されたものであり、本発明が準備され使用される唯一の形態を表わすよう意図するものではない。記述は、導光器の構成、および歯科医療および本発明の関連システム用に準備または使用するステップを述べる。しかし、導光器および関連システムの中に含まれる同じまたは均等の機能および材料は、本発明の精神および範囲内に含まれるように意図された他の具体例によっても達成可能であることを理解されたい。
【００３３】
他に定義されない限り、ここで使用される技術および科学用語は、この発明が属する技術分野の当業者に共通に理解されるのと同じ意味を有する。ここで述べるのと同様なまたは均等なあらゆる方法、装置、および材料を本発明の実施またはテストのために使用することが出来るが、ここでは例示する方法、装置、および材料を述べる。
【００３４】
ここで述べられるすべての刊行物は、例えば、これらの刊行物に記載された、ここで述べる発明に関連して使用されるかもしれない成分や方法を、説明および開示する目的で参照することによって、ここに含まれるものである。上記、以下および本書面を通して、リストされ又は述べられる刊行物は、もっぱら本願の出願日以前に開示されたものとして提供される。ここにおけるいかなるものも、先行発明によって発明者がこれらの開示内容の日付を早める権利を持たないことの承認と見なされるものではない。
【００３５】
本発明は、効率的で患者に快適な、歯の漂白、硬化、撮像および／または検査のための装置および方法を含む歯科医療装置に係るものであり、さらに、改善された安全性、保守特性、および操作性を有する。例えば歯の漂白剤または充填剤の効果的な活性化を可能にする１つの方法は、処置される歯の表面を充分に照明するように光源を位置決めすることである。
【００３６】
さらに、光の強度は光源からの距離の３乗に逆比例するので、漂白剤または修復材料を活性化するために使用される光源は、処置される歯の表面の近くに適正に近づくことが重要である。また、歯の漂白または硬化材の活性化に最も有効な波長は、柔らかな組織には有害であるので、患者の歯ぐき、舌、顔の皮膚および他の柔らかな組織が硬化光源に曝されるのを最小限にすることが望ましい。
【００３７】
これらを考慮して、光源は患者の歯の近くで素早い、また信頼の置ける位置決めが可能なように支持されることが望ましい。さらに、このような支持を可能にする支持機構は、突起が無く、容易に調整可能で、さまざまな大きさの患者の要請に適応可能なように複数の自由度を持った位置決めを行うことが可能である。
【００３８】
本発明の導光器は、周辺の空気で満たされた軸方向の空洞の周囲に配置される管状の内面を有する。導光器の基部端の開口は、ランプ容器の前面開口の近くに位置するように適応されている。導光器の末端部には別の開口がある。導光器は、さらに導光器を光灯システムに内部係合させるように適応された少なくとも１つの構造を有する。その構造は、光灯システムの少なくとも１部分と係合し、かつ覆うような形状と構造をしている。
【００３９】
本発明の一実施例において、少なくとも１つの構造を有する開唇デバイスのような参照装置が、導光器内の少なくとも１つの構造に内部係合するように適応されている。
【００４０】
光灯システム、導光器、撮像システム、歯の処置部品、撮像システム、開唇装置、スペーサー、支持システムなど、歯科用システムに関連するここで使用される構造（formation）という語は、近接する歯科用システムの対応する部分、部品、または対象の口と内部係合するように適合された歯科用システムの部分のことを云う。したがって、構造は、上記に掲げた物品いずれかの少なくとも一部分を含み、成形によって形成または形作られ、または上記構造は別個に形成され、個々の部材で後に組み立てられてもよい。
【００４１】
適切な内部係合構造には、突縁と溝、揺動フックとソケット、弾性クリップとソケット、クリップと突起または凹み、突縁または翼状の部材とスロット、ボールと空洞、ボールとソケットを含み、そのいくつかは以下に特別詳細に例示する。内部係合しない構造には、歯科用トレー、撮影フィルムホルダー、および、あらゆる歯の治療用材料または患者の口内を撮影する材料を置くように適合された他の構造を含む。
【００４２】
図１は、本発明の第１の実施例による、歯科医療用の導光器１００を示す。図示のように、導光器１００は、前側開口１０６および後ろ側開口１０８の間に位置する軸方向の空洞１０４を有する楕円形の管状部材１０２を有する。
【００４３】
図示実施例に示すように、管状部材の第１のエッジ１０１は、一般的にはその水平な部分１１０に関して凸形状で、一般的にはその垂直な部分１１２に関して凹形状を有する実質的に楕円形の鞍の形をした曲線を規定する。加えて、エッジ１０１は、第１および第２の構造、例えば、実質的に水平なスロット１１４、１１６を有する。本発明の一実施例によれば、スロット１１４，１１６は、互いに実質的に同一平面上に配置され、また、エッジ１０１を規定する楕円形の鞍の形をした曲線の主軸に実質的に一致して配置される。
【００４４】
図示実施例に示すように、リム１１８が、エッジ１０１から、実質的に楕円形の鞍の形をした曲線の第２のエッジ１２０（“第２のエッジ”と呼ぶ）に向かって半径方向内側に延びている。第２のエッジ１２０は、エッジ１０１に対して実質的に一定にはなれた関係で位置し、それによってリム１１８はエッジ１０１の全長に渡って実質的に均一な半径寸法を有する。エッジ１２０は、前側開口１０６の外縁を規定する。
【００４５】
図１の実施例の後ろ端では、第３のエッジ１３０が略楕円形の鞍の形をした他の曲線を規定している。エッジ１３０は、その略水平な部分１３２に関して実質的に凸形状で、略垂直な部分１３４に関して略凹形状をしている。
【００４６】
本発明の一実施例によれば、曲線１３０は導光器の後ろ側開口１０８を規定する。
【００４７】
本発明の一実施例によれば、導光器は後ろ側開口１０８の近くのリムを有さない。
【００４８】
図示実施例のさらなる態様において、導光器の外表面１３９は、エッジ１０１とエッジ１３０の間に配置される。導光器の内部表面１３６は、楕円形の管状部材１０２の内側と外側の境界を決めるように外表面１３９に関して実質的に均一な間隙を置いて配置される。
【００４９】
本発明の一実施例において、外表面１３９は、導光器１００を操作する時に表面１３９上の操作者の握りを改善するように適応された複数の握り形状１３８を有する。図示実施例において、握り形状１３８は、盛り上がった細長い楕円形状をしている。本発明の他の実施例において、握り形状は実施的に半円球の複数の隆起を有する。本発明のさらに他の実施例において、握り形状は、複数のジグザグな溝を有する。当業者であれば、導光器１００の全体的な把持性を高めるような、広範な種類の形状が表面１３４の上に配置可能であることを認識するであろう。
【００５０】
図２は、本発明の他の実施例による導光器２００を示す。導光器２００は、その下の部分に開口２０２を持ったリム１１８を有する。開口２０２は、導光器２００の前面端部から、導光器の内壁１３６によって部分的に形成されている細長い空洞２０４に向かって内側に開いている。本発明の一実施例によれば、空洞２０４は記録装置２０６を受け入れるように適応されている。
【００５１】
本発明の一実施例によれば、記録装置２０６は、電気機械的接続片２１０を持ったプリント回路基板と、その上に配置されたメモリー集積回路２１２とを有する組み立て体を含む。一態様において、記録装置２０６は、第１の側面と第２の側面を有する。図示実施例において、メモリー集積回路２１２は後ろ側面２３４を有する。本発明の一実施例によれば、メモリー集積回路２１２は、例えば半田付け、接着剤固定、はめ込み、または当業者に知られた集積回路取り付け方法によって回路基板に実質的に恒久的に固定される。
【００５２】
本発明の一実施例によれば、複数の面で規定される空洞２０４は、導光器２００に関して実質的に固定される記録装置２０６を支持するように適応されている。
【００５３】
本発明の一実施例において、記録装置２０６は、電気機械的接続片２１０が上向きで露出した位置に配置されるように導光器の軸方向の空洞１０４内で支持される。
【００５４】
この空間的位置の関係は、より明確に、例えば図３に示されており、図３は本発明の一実施例による導光器３００を後ろ側斜視図で示している。導光器３００は、内面１３６に配置される第１の支持部材３０２と第２の支持部材３０４を有する。支持部材３０２は、第１の支え壁３０６を有し、第２の支持部材３０４は、第２の支え壁３０８を有する。第３の支持部材３１０は、支え上面３１２を有する。
【００５５】
再度（図２に示すような）記録装置２０６に戻ると、記録装置２０６は、図３に示すように領域３２０内に受け入れられるように適応されている。記録装置２０６が領域３２０内に配置されると、支え面３０６はエッジ２３０の近くに位置し、それを支持する。支え面３０８は、エッジ２３２の近くに位置し、支持する。また、支え面３１２が記録装置２０６の下面（図示せず）近くに位置し、支持する。
【００５６】
導光器３００のさらなる形状として、概ね垂直に配置された面３３０に注目すべきである。図４に示すように、別な面３３２は面３３０に実質的に平行に前方に離れた位置関係で設けられる。
【００５７】
記録装置２０６の本発明における更なる識見とその役割は、本発明の一実施例による導光器３５０を前側正面図で示す図４を参照することによって得られる。特に、図４はさらに、直上で述べた、（図３に示したような）面３３０と実質的に平行に離れて位置する支え面３３２を示している。また、（図２に関連して上述した）開口２０２、（図３に関連して上述した）第１の支え壁３０８および第２の支え壁３０６を示している。
【００５８】
当業者は、（図２に図示されるような）記録装置２０６が開口２０２の内部に配置された時に、集積回路メモリー素子２１２が支え面３３２の近くに位置し、支持されることを理解するであろう。更に、再度図３を参照すると、当業者は、記録装置２０６がそのように配置されたときに、電気機械的接続片２１０が支え面３１２の後方近くの領域に位置し、軸方向空洞の内部で上、下、および後ろの方向が露出していることを理解するであろう。
【００５９】
図５に転じると、本発明の一実施例によるランプヘッド４００が見られる。図示したように、ランプヘッド４００は、外面４０４を有するハウジング４０２を有する。ランプヘッドハウジング４０２の先端はエッジ４０８で決まる開口４０６を有する。作動時にはランプヘッドハウジング４０２内の光源からの光が開口４０６を通って放射される。
【００６０】
ハウジング４０２は、ハウジングの前側領域内の開口４０６の周囲の曲線部に位置する中間エッジ４１０を有する。面の領域４１２は、中間エッジ４１０の前方へ、ハウジング表面４０４のバランスの関連でくぼんでいる。
【００６１】
本発明の一実施例によれば、ランプヘッド４００は、例えば図３に示されるように、導光器３００と取り外し可能に接続するように適応されている。したがって、面領域４１２は、導光器３００の内面１３６の近くに位置して支持されるように適応されている。同様に、導光器３００の後端１３０は、エッジ４１０の近くに位置して支持されるように適応されている。このように、導光器の構造、例えば、内面１３６またはエッジ４１０は、光灯システムの少なくとも１部分と係合し、それを覆う形状と構成をしている。
【００６２】
さらに、本発明の一実施例によれば、ハウジング４０２は、上面の凹み４１４、および対応する底面の凹み（図示せず）のような、少なくとも１つの構造を持つ。上面の凹み４１４は、導光器３００のエッジ１３０の近くに配置される（図３に示されるような）戻り止め突起４２０のような第１の構造を受け入れるように適応されている。同様に、底面の凹みは、図３に示されるような戻り止め突起４２２のような第２の構造を受け入れるように適応されている。
【００６３】
本発明の一実施例によれば、導光器の材質は、戻り止め突起４２０および４２２を各々の凹みに押し込めるくらい充分に弾性があり、それによって導光器の軸方向空洞１０４がランプヘッドの開口４０６の近くに位置した状態で取り外し可能に定位置に保持される。
【００６４】
本発明の一実施例によれば、導光器（例えば３００）が上記の位置にあるとき、（図２に示されるような）電気機械的接続片２１０はランプヘッドの電気プラグ内に位置する。これは、ランプヘッド４００の底面図を示す図６に、より明快に示されている。
【００６５】
図６に示すように、ランプヘッド４００は、さらなる構造、例えばランプヘッド４００の先端４２３の近くにさらなる凹み領域４２１を有する。
【００６６】
図７に示すように、この更なる凹み領域４２１は、ランプヘッド４００のハウジング４０２の開口４２４の後方に位置する、すぐ上で述べた電気プラグの隣にある。開口４２４は、図２に示すように、それを通して電気機械的接続片２１０を受け入れるように、その大きさと形が適合されている。
【００６７】
上述したように、戻り止め突起４２０，４２２およびそれに対応する凹み、例えばランプハウジング４００の４１４は、導光器が一旦ランプハウジングに取り付けられると、それが積極的に取り外されるまではそこに保持するように機能する。
【００６８】
ランプハウジングは、光源の近くに、光源およびランプハウジングを低温に保つために少なくとも１つのヒートシンクを有する。ヒートシンクは、銅、アルミニウム等の金属ブロックを含む、熱伝導性の良い何らかの材料で作られる。他の実施例において、冷却システムは、ヒートパイプを有する。他の実施例において、冷却システムは、相変化材を含み、いくつかの具体例および材料は２００４年７月２日に出願された米国特許出願第６０／５８５，２２４号“Dental Light Devices With Phase Change Material Filled Heat Sink”に述べられているように例示され、その内容は参照によってここに含まれる。
【００６９】
ヒートシンクは、金属のような熱伝導性材料を空洞化することによって作られ、少なくとも１つの相変化材で少なくとも部分的に空洞を埋め、相変化材が内部に確保されるように閉栓し、結果的に少なくとも１つの相変化材が、従来のヒートシンクを作るときに通常使用される金属のような熱伝導性材料で実質的に収納され、取り囲まれる。
【００７０】
あるいは、ヒートシンクは、穴または空洞を取り囲む壁を作り上げるために、金属のような熱伝導性材料から鋳造または機械加工される。穴または空洞は、部分的に少なくとも１つの相変化材で充填され、その材料を内部に確保するために閉栓される。
【００７１】
一実施例において、創意に富むヒートシンクは単独で使用される。他の実施例において、ヒートシンクはファンに追加して使用され、または従来の金属ブロックヒートシンクと共に使用され、またはそれらの組み合わせで使用される。
【００７２】
適切な相変化材は、有機材料、非有機材料、およびそれらの組み合わせを含む。これらの材料は本質的に可逆的な相変化を行うことが出来、その効果を失うことなく無限回数でないにせよ典型的には多くの回数行うことが出来る。有機性の相変化材料は、パラフィンワックス、２，２ジメチル・ｎ・ドコサン（Ｃ２４Ｈ５０）、トリミリスチン（（Ｃ１３Ｈ２７ＣＯＯ）３Ｃ３Ｈ３）、１，３メチル  ペンタコサン（Ｃ２６Ｈ５４）を含む。例えばリン酸水素ナトリウム１２水和物（Ｎａ２ＨＰＯ４・１２Ｈ２Ｏ）、硫酸ナトリウム１０水和物（Ｎａ２ＳＯ４・１０Ｈ２Ｏ）、塩化鉄６水和物（ＦｅＣｌ３・６Ｈ２Ｏ）、ＴＨ２９（融点２９℃を有する水和塩でオーストラリア、ワンガラのＴＥＡＰ  Ｅｎｅｒｇｙ社から入手可能）を含む水和塩のような非有機材料、または、Ｏｓｔａｌｌｏｙ  １１７またはＵＭ４７（Ｕｍｉｃｏｒｅ  Ｅｌｅｃｔｒｏ−Ｏｐｔｉｃ  Ｍａｔｅｒｉａｌｓ社から入手可能）のような金属合金も考慮される。典型的な材料としては、周囲温度で固体であって、例えば融点が約３０℃と５０℃の間、さらに例示すれば、約３５℃から４５℃の間である材料である。また、典型的な材料は、それらが周囲温度下にあるときは、例えば少なくとも約１．７、さらに例示すれば少なくとも約１．９の高い比熱を有する。さらに、それらが上昇した温度下にあるときは、少なくとも１．５、さらに例示すれば１．６の比熱を有する。
【００７３】
相変化材は、また、大量の熱エネルギーを蓄積するために高い溶融潜熱を有する。この溶融潜熱は、例えば、少なくとも約３０ｋＪ／ｋｇ、更に例示すれば少なくとも約２００ｋＪ／ｋｇである。
【００７４】
物質の熱伝導度は、熱伝導性のケーシングから相変化材、およびその逆の熱伝達率を決めるための１つのファクターである。例えば、相変化材の熱伝導度は、周囲温度下の状態で少なくとも約０．５Ｗ／ｍ℃であり、上昇した温度下の状態では少なくとも約０．４５Ｗ／ｍ℃である。
【００７５】
一般的に、相変化材は金属ケーシングのような熱伝導性金属の内部に収納される。ケーシングは、いかなる形状の穴でも良いが、例えば円柱状または方形状の穴を規定する。金属ケーシングすなわち上記穴の壁は、相変化材を収納するために機能し、また、相変化材に熱を伝えたり熱を逃がすように熱伝達することを助ける。ヒートシンクのある大きさに対して、壁は薄ければ薄いほど多量の相変化材が存在することが出来、例えば硬化ライトの重さへの寄与も少ない。しかし、壁は薄いほど相変化材から熱を伝導で逃がす効果が少なくなり、相変化材が周囲温度に戻り最初の状態に戻ってヒートシンクとして機能することが可能となる時間が長くかかる。例えば、壁の厚さは、典型的には約１ｍｍから約２．５ｍｍ、さらに例示すれば、約１ｍｍから約１．５ｍｍである。
【００７６】
また、ケーシングは大きな表面積を有するように作られる。例えば、その外表面にフィンや他の形を持った構造は、熱伝導または対流のために、表面積を増すことに寄与する。したがって、球形の構造は有効ではあるが最適な選択ではない。そのようなフィン、または他の表面を増大する他の構造は、穴の内部にも取り入れられ、熱伝導性のケーシングと相変化材との間の接触面積を増大させ、したがって、熱伝導性のケーシングと相変化材との間のより速い、また、より効果的な熱伝達を可能にする。
【００７７】
また、熱伝導性のケーシングは、光源からの熱伝達のために良い熱接触状態にあることが望ましい。このことは、広い接触面を持った滑らかな熱伝導性の表面によって達成される。また、熱的な結合は熱エポキシのような熱伝導性の界面物質によって達成される。電気絶縁性の界面物質も、熱伝導性を失うことなく光源とヒートシンクを電気的な意味で絶縁するには有効である。
【００７８】
図７ａは、ランプシステムの他の例、例えば、図７ｂおよび７ｃに示すように幾何的に配置される少なくとも１つの光源を有する照明枠１０５を示す。照明枠１０５は、図９に示すような開唇デバイス５００に係合するスロットのような構造を持ち、また、対象物に対して照明枠１０５を位置決めするための翼状の部材５２０，５２２のような構造を持った導光器１０６に取り付けられるか、またはその内部に配置される。患者と導光器１０６の間には弾性部材１１２８が置かれる。弾性部材１１２８は、患者と導光器１０６の間の境界にクッションを与え、それが無ければ痛くて不快な衝撃を吸収する。
【００７９】
一実施例において、照明枠１０５は、図７ａに例示するように、照明枠の前面４６５の表面に渡って実質的に等間隔に離れた複数の光源２３５を有する。本発明の他の実施例は、前面４６５に渡る光源２３５の異なった配列を有する。例えば、均等に離れている代わりに、光源は互い違いに配置される。本発明は、ここで示す光源の数および配列に限定されない。
【００８０】
図７ｃは、概ね矩形の形をして、前面５００に配置された複数の光源５０５を有する実質的に平らな前面５００を有する、照明枠１０５の他の具体例を示す。
【００８１】
照明枠は、導光器内に、開唇デバイスの翼状部材と結合するための構造と合致するように適応された構造を含んでも良い。
【００８２】
図７ｄは、本発明の一実施例による、ヒートシンクを有する照明枠１０５の上面図である。照明枠１０５は、複数の光源と、光源の安定部材（すなわち基底部材）に結合するヒートシンクを有する。ヒートシンク６５０は、相変化材を含む、上述した材料のいずれかで作られる。ヒートシンクは、また、いかなる形状にも作られる。
【００８３】
複数の光源を持った照明システムにおいて、光源は全体的、または個別に給電される。個別に給電された場合は、必要に応じて個々の光源が別々に点灯または消灯される。このことは、たった一本か２本の歯が治療または検査される場面での硬化または撮像に特に有効である。
【００８４】
図８に、支持構造４８２に支持されるランプヘッド４００を含む、歯科医療応用の典型的なランプシステム４８０が示されている。支持構造４８２は、図示された典型的な具体例において、可動性のための複数のキャスターホイール４８４、および、柱４９０、張り出し棒４９２および間接ジョイント４９４を含む関節で繋がれた支持部材４８８を有する。さらに、図示実施例において、ランプヘッド４００は、追加の自由度によってランプヘッドの位置および方向を調整可能なように適応されたボールとソケットのジョイント４９６によって柱４９０に結合されている。
【００８５】
本発明の一実施例によれば、例えば歯のような、ランプ照明のターゲットに関してランプヘッドを実質的に固定的な関係で位置決めし向けさせることが望まれる。例えば、歯の漂白処置の最中、目標の歯の上に、例えば空間的および漂白プロセスの間中ずっと、実質的に均一な照明強度が維持されるように、ランプヘッド内に固定的に収納されている照明源と漂白材を載せた目標の歯の間の距離と方向を維持することが望ましい。
【００８６】
照明枠は、また、図８に示されたものと同様の構造で支持されてもよい。
【００８７】
ランプハウジングおよびヘッドは、重合材、例えば成形または鋳造可能なポリマー、または、金属または金属合金で作られる。適切なポリマーとしては、ポリエチレン、ポリプロピレン、ポリブチレン、ポリスチレン、ポリエステル、アクリルポリマー、ポリ塩化ビニル、ポリアミド、ＵＬＴＥＭ（登録商標）のようなポリエーテルイミド、またはポリカーボネートとポリブチレンテレフタレートの合成物であるＸｅｎｏｙ（登録商標）樹脂のような重合体合金（polymeric alloy）、またはポリカーボネートとイソフタレート・テレフタレート・レゾリシノール樹脂の共重合体であるＬｅｘａｎ（登録商標）プラスチック（以上はすべてＧＥ  Ｐｌａｓｔｉｃｓ社から入手可能）、芳香族ポリエステルのような液晶ポリマー、または１成分として芳香族ポリエステルアミドを含む液晶ポリマー、芳香族ヒドロキシカルボン酸（例えばヒドロキシ安息香酸（硬質モノマー）ヒドロキシナフトエート（軟質モノマー））、芳香族ヒドロキシアミン、芳香族ジアミンを含むグループから選択される少なくとも１つの化合物（米国特許第6,242,063, 6,274,242, 6,643,552, 6,797,19８号に例示されており、その内容は参照によってここに含まれる）、終端の無水物基（terminal anhydride group） または側部の無水物（lateral anhydride） を含むポリエステルイミド無水物（米国特許第 6,730,377号に例示されており、その内容は参照によってここに含まれる）、またはそれらの混合物が含まれる。
【００８８】
さらに、顔料、カーボン粒子、シリカ、グラスファイバー、金属粒子または伝導性ポリマーのような伝導性粒子、またはそれらの混合物を充填したポリマーであるエンジニアリングプレプレッグ、または合成物のような、あらゆる重合体合成物も使用可能である。例えば、ポリカーボネートとＡＢＳ（アクリロニトリル・ブタジエン・スチレン）の混合物がランプハウジングおよびヘッドに使用される。
【００８９】
一般的に、高耐熱性の重合材または合成物が適している。
【００９０】
適切な金属または金属合金は、ステンレススチール、アルミニウム、Ｎｉ／Ｔｉのような合金、米国特許第6,682,611号および米国特許出願第２００４／０１２１２８３号に述べられており、Ｌｉｕｉｄ  Ｍｅｔａｌ，Ｉｎｃ．から入手可能なものを含むアモルファス金属等を含み、その内容は参照によってここに含まれる。
【００９１】
例えば、米国特許第4,293,435号, 第5,332,522号, 第6,043,861号, 第6,046,791号, 第6,573,963号, 第6,836,314号に述べられている（その内容は参照によってここに含まれる）ように、液晶ポリマーまたはコレステリック液晶ポリマーで、光のエネルギーを伝達するというよりも反射することが出来るものは、光エネルギーの漏洩を最小化するために被膜、あるいはハウジング１０４および／またはランプヘッド１０２の主成分として使用することが出来る。
【００９２】
一実施例によれば、導光器、例えば３００、の構造は、患者の肌が紫外光へ露出されるのを避けるためにＵＶ防止材を含む。導光器は、上述したように、ランプハウジングおよびランプヘッドの材料と同様の材料で作られる。また、ポリ乳酸樹脂（Ｌ乳酸およびＤ乳酸を含む）およびポリグリコール酸（ＰＧＡ）のような生物分解性物質、またはバイオ合成ポリエステル、ポリヒドロキシ吉草酸／ヒドロキシブチル樹脂（ＰＨＢＶ）（３−ヒドロキシブチレン酸、３−ヒドロキシペンタン酸（３−ヒドロキシ吉草酸）およびポリヒドロキシアルカノエート（ＰＨＡ）の共重合体）、ポリエステル／ウレタン樹脂も、特に一人用に設計されるときは適している。
【００９３】
更に、ランプハウジングやランプヘッド同様、コレステリック液晶ポリマーで、光のエネルギーを伝達するよりも反射することが出来るものは、上述のように光エネルギーの漏洩を最小化するために被膜あるいは導光器の主成分として使用することが出来る。
【００９４】
図９は、ランプヘッドを目標の歯に対して実質的に固定された関係に維持するための参照装置を示す。図９の参照装置は、本発明の一実施例による開唇デバイスである。構成中に見られるように、開唇デバイスは第１（５０２）および第２（５０４）の半円形の“Ｕ”形の溝を有し、それは、その関連する内表面５０６、５０８近くの歯科患者の口唇を受け入れるように適応されている。
【００９５】
支持部材５１０は、“Ｕ”形の溝５０２，５０４に相互に結合され、“Ｕ”形の溝５０２，５０４を互いに実質的に固定した空間位置関係に支持するように適応されている。本発明の一実施例（図示せず）によれば、支持部材５１０は、患者の舌を保持、および舌を入射照明光から遮蔽するように適応された舌保持カップをも支持する。
【００９６】
本発明の一実施例によれば、翼状の介在部材５１６，５１８のような一組の構造が“Ｕ”形の溝５０２，５０４に各々結合される。本発明の一実施例によれば、翼状の介在部材は各々関連する上面５２０，５２２と関連する下面５２４，５２８を有する。本発明の一実施例によれば、上面５２０は下面５２４に対して実質的に平行に離れた関係に置かれ、上面５２２は下面５２８に対して実質的に平行に離れた関係に置かれる。
【００９７】
本発明の一実施例に従えば、上面５２０，５２２上の複数の目印５３０，５３２が、水平軸内で目視で位置合わせするために使用される。
【００９８】
本発明の一実施例によれば、介在翼部材５１６および５１８は、各々（図１に示す）スロット１１４および１１６内に受け入れられるように適応されている。開唇デバイス５００を（図１に示すような）導光器１００の先端の方に押すことによって、介在翼部材５１６および５１８がスロット１１４および１１６に押し込まれ、それによって開唇デバイス５００の導光器１００に対する方向と位置が実質的に固定される。結果的に、開唇デバイス５００の翼状部材は、ヘッドと患者の歯を結合させ、また、例えば図５に示すように、ランプヘッド内に置かれた光源に関して実質的に固定した位置を維持するのに効果的に作用する。
【００９９】
開唇デバイスは、ポリプロピレン、ポリエチレン、ポリエステル、ポリカーボネート等のような熱可塑性材料で射出成形または熱成形によって作られる。開唇デバイス１０は、また、導光器に関して上で述べた材料を含むバイオ合成ポリマー、または生物分解性ポリマーによっても作られる。さらなる例として、開唇デバイス１０は、射出成形したポリプロピレンで作られ、滑らかで透明な仕上がりである。他の実施例において、このデバイスは不透明で、白を含む色つきである。
【０１００】
図１０は、本発明の一実施例による、開唇デバイス５００と結合した導光器１００の上面図を示す。図１０に見られるように、導光器１００と開唇デバイス５００の構造は、これら２つの部分が互いに実質的に一定の軸位置関係を維持するように適応されている。当業者は、開唇デバイス５００の翼部材にある穴に関して第１および第２の停止部を挿入することによって、開唇デバイス５００が導光器１００の方に進むことの出来る距離を調整できることを理解するであろう。
【０１０１】
本発明の一実施例によれば、図１１に示すように患者と導光器３００との間に弾性部材６００が置かれる。弾性部材６００は、患者と導光器の間の境界にクッションを与え、それが無ければ痛くて不快な衝撃を吸収する。
【０１０２】
一実施例において、弾性部材６００は例えばポリマーの発泡体またはゴムで作られ、接着によって導光器３００に取り付けられる。本実施例においては、弾性部材６００は上の部分６２２および下の部分６２４の２片で作られ、典型的な開唇デバイスの翼部材を収容するように導光器のスロット２３６，２３８を延伸させる。
【０１０３】
弾性部材６００は、開放セルまたは閉鎖セルの発泡体、天然または合成のゴムで作られる。合成ゴムは、例えば弾性材料であって、限定はされないが、スチレン・ブタジエンゴムまたはスチレン・イソプレンゴム、エチレン・プロピレン・ジエン・モノマー（ＥＰＤＭ）ゴム、ニトルリ（アクリルニトリル・ブタジエン）ゴム、ラテックスゴム等のような、Kraton Polymers社から入手可能な種々の共重合体またはブロック共重合体（Kratons（登録商標））を含む。発泡材は閉鎖セルでも開放セルの形態でも良く、限定はされないが、ポリエチレン発泡体、ポリプロピレン発泡体、およびポリブチレン発泡体のようなポリオレフィン発泡体、ポリウレタン発泡体、上述したいかなる弾性材またはゴム材から作られる発泡体、または導光器自身に関して上述したあらゆる生物分解性物質またはバイオ合成ポリエステルを含む。
【０１０４】
弾性防護片６２２，６２４は、熱シールまたは接着剤によって導光器に取り付けられる。適切な接着剤は、限定はされないが、建材用接着剤、温融接着剤、圧力感応接着剤、反応性接着剤等を含む。あるいは、適切な接着剤は、アクリル基材、ポリウレタン基材、エポキシ基材、シアノアクリレート基材、ポリアミド基材、スチレン共重合体基材、ポリオレフィン基材等の接着剤である。さらに、弾性防護片６２２，６２４は、導光器に一体的に成形される。さらにまた、弾性防護材は１部品で導光器に取り付けられ、または一体に成形される。
【０１０５】
本発明の別の実施例によれば、図１２に示すように、導光器３００は、導光器装置の使用中に患者がより容易に息ができるように適応された１つ以上の空気孔６０２を有する。
【０１０６】
空気孔６０２は、空気を通すが導光器３００からの光漏れを防止する。
【０１０７】
本発明の一実施例によれば、（図２に示すような）導光器２００は、１回の歯の治療に使用され廃棄される一回使用品、または単独の患者用品として意図される。
【０１０８】
一回使用品または単独患者用の導光器は、消毒不能および／またはオートクレーブに掛けられない材料を含む。これらの材料は、主要部分または非主要部分を作るために使用される。例えば、発泡材のパッドまたはその取り付け具が一回使用の材料で作られ、一方、導光器の本体は消毒可能またはオートクレーブに掛けることの出来る材料で作られる。他の例として、導光器の本体も一回使用の材料で作られる。
【０１０９】
上述したものを含むバイオ合成可能な、または生物分解性のポリマーは、一回使用または単独の患者用の導光器に特に適している。
【０１１０】
さらに、かつ上述したように、導光器３００は、導光器３００の下側に成形されたスペース２０４内部に配置されたメモリー集積回路２１２をさらに有する。メモリー集積回路２１２は、特定の導光器がどれだけ長い間使用されてきたかを示す使用信号の期間の記録を格納する。メモリー集積回路２１２は、導光器３００が不適切に再使用されないことを保証するシステムの一部である。
【０１１１】
作業に当たって、導光器３００がランプヘッドハウジング４０２に取り付けられる。導光器３００は、機械的取り付け機構（図９に示した翼部材５１６，５１８を受け入れるための、図１に示したスロット１１４，１１６）と、記録装置２０８とランプヘッドハウジング内の電子回路との間の、上述したような電気的接続片の両方を有する。電気的接続片２１０は、例えば、ランプヘッド内の導電性プラグと接合し、導光器の記録装置２０８とランプヘッドハウジング内の電子回路との間で信号の授受を可能にする電気機械的結合を形成する。
【０１１２】
導光器３００は、（図８に示したような）ランプシステム４８０の位置決め可能特性を使って患者の口腔と位置合わせされ、例えば漂白処置材料が処理される。ランプヘッド内、または電源ユニット内の信号化装置は、導光器の使用期間を記録装置に記録する。導光器の使用が限界に達すると、ランプシステムはランプヘッドハウジング２０４内の光源の作動を妨げ、導光器３００はランプシステムを作動させるために交換される。
【０１１３】
導光器３００の代替の実施例においては、導光器３００と患者の間に介在する弾性部材６００は使用されない。さらなる導光器３００の代替実施例において、導光器の記録装置２０８とランプヘッド内の電子回路との接触は磁気的接触である。あるいは、記録装置２０８は、赤外線放射か、または無線信号を通じてか、または電磁スペクトルの可視部分からの光を通じてか、または音響伝播を通じてランプヘッドと交信する。
【０１１４】
（図８に示すような）ランプシステム４８０が一旦患者に対して位置決めされると、オペレーターは導光器３００を患者の口腔と位置合わせする。導光器３００は、支柱４９０に対する張り出し棒４９２、および張り出し棒４９２に対するランプヘッド４００の両方の広い可動範囲を通じて広い位置範囲にセット可能である。導光器３００は、図９に示すように、開唇デバイスに係合する形状および構成をしている。開唇デバイスは、患者によって装着することが出来、それによって患者の口との精密な位置合わせが出来る。
【０１１５】
図１３は、本発明の一実施例による、ランプヘッド１１０２のボールジョイント９０２、導光器１１０４、および開唇デバイス装置１１３８の組み立ての相互関係を示す。図１３に示すように、ランプヘッド１１０２とボールジョイント９０２の間にピボット取り付け台９０６が結合されている。ボールジョイントは、ランプの光軸が歯科医療対象のターゲットの歯に位置合わせされるように、スペース内でのランプヘッドの旋回を可能にしている。
【０１１６】
導光器１１０４は、ランプヘッド１１０２の先端に結合されるように適応されている。一実施例において、導光器１１０４は、ランプヘッド１１０２の外表面領域１１２４に近接して保持されるように適応された内表面領域１１２２を有する。本発明の一実施例によれば、内表面１１２２上の突起部材または隆起が外表面領域１１２４の凹み領域１１２６に押し込まれるように適応されている。
【０１１７】
本発明の一実施例において、導光器１１０４はその先端に弾性的に圧縮可能なクッション１１２８を有する。弾性的に圧縮可能なクッション１１２８は、上述したように、歯の漂白処置の対象（図示せず）と導光器の間の境界を柔軟にする役目をする。
【０１１８】
本発明のさらなる態様において、図示実施例に示すように、導光器１１０４は第１および第２のスロット１１３０および１１３２を有する。これらのスロットは、歯科医療対象とランプヘッド間の関係を安定化するために開唇デバイス１１３８の突出した翼部材１１３４，１１３６を受け入れるように適応されている。
【０１１９】
開唇デバイス１１３８は、漂白処置の間中に歯の漂白を受ける被術者の唇を支持するように適応された溝１１４０，１１４２と、伸縮性のある、または弾性のある部材１１４４を有する。伸縮性のある、または弾性のある部材１１４４は、溝１１４０，１１４２に結合されていて、これらの溝を唇へ向けて外側に押し付けるように適応されており、歯の処置を受ける被術者を開唇デバイスに結合させる。
【０１２０】
被術者が開唇デバイス１１３８に結合され、翼状部材１１３４を導光器１１０４内の各々のスロット１１３０，１１３２に挿入することによって開唇デバイスが導光器１１０４に結合されると、被術者はランプヘッド１１０２に対して空間的に安定化される。このように、支持構造は、ランプヘッドを実質的に安定的な空間位置関係に支持するように機能する。
【０１２１】
本発明の導光器の使用は、処置の間中患者の口腔と周囲の環境との間の空気の循環を少なくさせてしまう。口腔内の空気循環が少ないことによって、処置材料および漂白材料のいずれも蒸発が少なくなり、口腔の乾燥が少なくなることに繋がる。理論的検討を待つまでも無く、乾燥は敏感度を増すことに繋がると推測されるので、口腔の乾燥が少ないと歯の乾燥度が減少することにつながり、したがって処置の最中およびその後の歯の敏感度を減少させることにつながる。このように、漂白プロセス中の導光器の使用は潜在的優位性がある。
【０１２２】
図１３ａは、本発明のランプシステム４８０の制御システム６９０の具体例のブロック図である。一実施例において、制御システム６９０の微小電子回路がランプヘッド４００の中に配置される。他の実施例において、制御システム６９０の微小電子回路は電源ユニット４７５内に配置される。本発明の範囲内で制御システムの電子回路の他の配置が可能である。
【０１２３】
制御システム６９０は、ＣＰＵ７００、プログラムメモリーロジック７０２、Ｉ／Ｏ論理デバイス７０４、データバス７０６およびシステム表示器７０８を含む。ＣＰＵ７００、プログラムメモリーロジック７０２、およびＩ／Ｏ論理デバイス７０４は、データバス７０６に接続されている。Ｉ／Ｏ論理デバイス７０４は、さらにシステム表示器７０８に接続されている。本発明の一実施例において、Ｉ／Ｏ論理デバイス７０４は、更にデバイスドライバーを有する。Ｉ／Ｏ論理デバイス７０４は、さらに（図１０に示される）導光器上のメモリー集積回路２１２に接続されている。ランプ制御器７１０はＩ／Ｏ論理デバイス７０４に繋がっている。電源７１２は、ＣＰＵ７００、プログラムメモリーロジック７０２、Ｉ／Ｏ論理デバイス７０４およびメモリー集積回路２１２に電力を供給する。
【０１２４】
ＣＰＵ７００、プログラムメモリーロジック７０２、およびＩ／Ｏ論理デバイス７０４は、例えばランプヘッド４００内に配置される微小電子デバイスである。本発明の代替の実施例において、ランプ制御器７１０および電源７１２もランプヘッド４００の中に配置される。本発明の代替の実施例において、ＣＰＵ７００、プログラムメモリーロジック７０２、Ｉ／Ｏ論理デバイス７０４、ランプ制御器７１０、および電源７１２は、例えば電源ユニット４７５の中に配置される。ランプ制御器７１０は、例えばランプシステム４８０のオン／オフ機能を制御するトランジスタデバイス、または、電気的または電気機械的リレーデバイスである。システム表示器７０８は、例えばランプヘッド４００上の、点灯される表示器である。
【０１２５】
図１４は、図１３に図示された制御システム６９０によって実行されるランプシステム４８０の開始手順の一実施例を示すフローチャートである。
【０１２６】
ステップ７３０で、制御システム６９０は、ランプ制御器７１０から“開始”信号を受け取る。“開始”信号は、ランプヘッド４００内の電球および導光器３００がその使用限界に達したかどうかの判定を含む初期化のプロセスを作動させる。制御システム６９０は、電球の使用限界、導光器の使用限界、および漂白／硬化処置の制限時間を格納する。本発明の一実施例によれば、処置の開始と処置の制限時間との間の時間が、制御システム６９０によって、予め選択される間隔に分割される。
【０１２７】
ステップ７３２において、制御システム６９０は、電球が制御システム６９０に格納されている電球使用限界よりも長く使用されてきたかをチェックする。本発明の一実施例によれば、電球の使用限界は、例えば１００時間である。本発明のさらなる実施例によれば、電球の使用限界は、歯科医のような顧客によって、システムの最初の使用の後に変更可能である。例えば、光源の使用限界値は、光源の交換のために修理施設に戻ったときに変更される。制御システム６９０は、光源がランプヘッド４００内で点灯していた時間を監視し、その値を、もしあればそれ以前の処置手続きから積算された時間の量に加算する。ランプ制御器７１０から“開始”信号を受け取ったときに、制御システム６９０は、光源の積算時間と光源の使用限界とを比較する。もし、光源の使用限界を過ぎていれば、制御システム６９０はステップ７３４に進む。もし、光源の使用限界を過ぎていなければ、制御システム６９０はステップ７３６に進む。
【０１２８】
ステップ７３４において、制御システム６９０は、ランプヘッド４００内の光源交換表示装置１５２を作動させる。また、制御システム６９０は、光源を点灯させることに関して“開始”信号を無視する。言い換えると、制御システム６９０は、もし制御システム６９０が光源の寿命が過ぎていると判断したときは、ランプシステムの作動を許可しない。光源が交換されると制御システム６９０はリセットされる。
【０１２９】
ステップ７３６において、制御システム６９０は、導光器の使用が、制御システム６９０に格納されている導光器の使用限界を超えているかどうかを判定する。導光器の使用限界は、典型的には漂白または硬化の一回の処置の時間である。導光器の使用限界は、例えば６０分である。制御システム６９０は、ステップ７３２で述べたように光源が点灯している時間を監視する。制御システム６９０は、処置手続きの開始から光源が点灯していた時間を、導光器３００上の記録装置に書き込む。記録装置は、例えばメモリー集積回路２１２である。ランプ制御器７１０から“開始”信号を受け取ったとき、制御システム６９０は、導光器３００内の記録装置に格納された光源の点灯時間を、制御システム６９０に格納されている導光器の使用限界と比較する。もし、導光器の使用限界を超えていれば、制御システム６９０はステップ７３８に進む。もし、導光器の使用限界を超えていなければ制御システム６９０はステップ７４０に進む。
【０１３０】
ステップ７３８で、制御システム６９０は、光源を点灯させることに関して“開始”信号を無視する。すなわち、制御システム６９０は、もし導光器の寿命期限が切れていれば導光器の作動を許可しない。制御システム６９０のこの部分は、導光器が再使用されるのを防止するように作用する。導光器３００は、漂白または硬化の各処置の後に廃棄する一回使用のデバイスとして意図されている。
【０１３１】
ステップ７４０で、制御システム６９０は、ランプをスタートさせる（すなわち光源を点灯する）。
【０１３２】
ステップ７４２で、制御システム６９０は、漂白または硬化処置の手続きの時間を監視する。このステップにおいて、制御システム６９０は、光源が点灯している時間を監視する。制御システム６９０の監視手順を図１５に関連して述べる。
【０１３３】
図１５は、図１３ａで示した制御システム６９０によって実行されるランプシステム４８０の監視手順の一実施例を示すフローチャートである。
【０１３４】
ステップ７４２で、制御システム６９０は、漂白または硬化処置の時間を監視する。すなわち、制御システム６９０は、光源が点灯している時間を監視する。
【０１３５】
ステップ７４４において、制御システム６９０は、経過した処置時間が予め選択した持続時間を超過したかどうかを判定する。ここで、予め選択する持続時間は、全体の処置時間の４分の１のように総体の処置時間のある部分である。経過した処置時間が予め選択した持続時間を超過しなかったときは、制御システム６９０は、処置時間の監視を続ける（ステップ７４２）。経過した処置時間が予め選択した持続時間を超過したときは、制御システム６９０はステップ７４６に進む。
【０１３６】
ステップ７４６において、制御システム６９０は、処置表示灯、例えばランプヘッド４００上の、点灯される表示器を作動させる。一実施例において、制御システム６９０は、もし、例えば点灯される表示器が４個あるときには、処置手続きの最後には４個すべてが灯るように、処置の各部分時間が経過するにつれて他の点灯される表示器を作動させる。他の実施例においては、処置の時間経過を表示するために、一個の点灯表示器がある。この実施例において、表示器は、処置の開始からどれだけの時間経過したかを表示するのに閃光の速さを変える。次に制御システム６９０は、ステップ７４８に進む。
【０１３７】
ステップ７４８で、制御システム６９０は、制御システム６９０が先行する処置手続きがあれば格納してきたはずの積算時間にその時間を加える。制御システム６９０は、また、光源が点灯していた時間を導光器の記録装置、例えばメモリー集積回路２１２にその時間を書き込む。制御システム６９０は、次にステップ７５０に進む。
【０１３８】
ステップ７５０で、制御システム６９０は、全体の処置時間が経過したかどうかを判定する。全体の処置時間は、漂白または硬化処置の持続時間である。もし全体の処置時間経過していなければ、制御システム６９０はステップ７４２に戻り、漂白／硬化時間を監視する。もし、全体の処置時間経過していれば制御システム６９０は、ステップ７５２に進む。
【０１３９】
ステップ７５２で、漂白／硬化処置の持続時間が経過し、制御システム６９０は光源を切断する。
【０１４０】
あるいは、本発明の他の実施例において、歯科技術士に時間または歯科処置の進捗を知らせる組み込み型の音声警告システムを有する制御システムが含まれる。制御システムは、また、歯科技術士のみが音声警告を聞くことが出来るように、例えばヘッドフォンまたは他の個人的な聴音装置を含む。一態様において、個人的な聴音装置は、無線通信装置または赤外光通信装置のような無線の聴音装置である。
【０１４１】
一実施例において、歯科用光灯システムは、歯科技術士に歯科治療の終了を知らせるための組み込み型の電子音声警告システムを有する。
【０１４２】
一態様において、電子音声警告システムは、玩具、携帯電話、自動車、および他の家庭電子機器のような電子装置に用いられている技術と同様な電子音声発生回路技術を利用し、歯科応用に向けられた新規なメッセージ内容を有するものである。
【０１４３】
さらに他の実施例において、歯の照明システムは、上述した歯の治療および他の同様の歯の治療の間中、時間を追跡するという新たな試みを持った、可聴電子音声警告システムを有する。この可聴電子音声警告システムは、装置内に格納される、予め記録された時間間隔の音声を持った電子デバイスを使用する。
【０１４４】
一実施例によれば、電子タイマー回路は、上述した点灯される表示器を有するのに加えて、装置内の音響スピーカーを通して適切な電子音声の計数通告を再生するようにプログラムされているときに発する、記録された音声を再生するように適応されている。一態様において、再生されるメッセージは時間間隔を含み、かつ、プログラム可能で、いくつかの実施例においては、再プログラム可能である。
【０１４５】
更なる実施例において、電子タイマー装置を有する歯科用光灯システムは、内部クロックを有するマイクロプロセッサーによって制御される。前記マイクロプロセッサーは、ランプが最初に点灯された時を知るための信号を受信する。電子音声チップは予め決められた間隔、例えば５秒間隔で、記録された音声信号をスピーカーに送り、ユーザーに経過時間および／または残り時間を告げる。本発明の一実施例において、前記スピーカーは光源内部に配置される。前記音声チップが“１０秒”という、記録された別々の音響信号を出すときは、このプロセスは継続して１０秒間隔の告知を行うようプログラムされている。特定の歯の処置の要請に応じてさまざまな時間増分および対応する音響信号をプログラムまたは選択することが出来る。
【０１４６】
本発明のまた更なる実施例において、歯科用ランプシステムは手順の最後に独特の告知メッセージを再生するように構成された、予め記録された音声ストリームを含む。予め記録された音声ストリームは、椅子で行う漂白手順またはそれに類似した手順に使用される場合、“手順は完了しました”“第一サイクルは完了しました”等のメッセージを含むことが出来る。さらに、システムは、処置の最中のある時々に歯科技術士に対して指示を与えるように構成することが出来る。典型的なメッセージは、“手順はもうすぐ完了します”、“漂白プロセスの次のステップを準備してください”、“漂白ランプのウォームアップサイクルが完了しました”などと告げる予め記録された音声ストリームを含む。多くのさまざまな、そのような警告音声が、本発明で使用されるように意図される。
【０１４７】
更なる実施例において、本発明は、電気制御装置に接続した上記の実施例における音声告知システムのいずれかを有する歯科用器具を含む。前記電気制御装置は、マイクロプロセッサーと、電気機械的スイッチまたはソリッドステートスイッチのようなスイッチを含む。さまざまな実施例において、前記電気制御装置は、予め決めた時間期限が過ぎたときに、歯科技術士に手順の終了を告知するように、かつ、光の出力を止めるように適応されている。このことは、歯の処置の効率と正確さを更に改善し、また、患者の近くに寄り添ったり手動でランプを切らなくてはならない代わりに、音声告知システムの音の聴こえる範囲で他の事柄を処理するために歯科技術士を自由にする。一態様において、前記警告システムは、患者から歯医者および／または歯科技師への呼び出し装置を備える。
【０１４８】
本発明の望ましい実施例が上記に述べられ図示されたが、これらは本発明の例示であって限定とは考えられないと理解されるべきである。したがって、本発明は以上の記述によって限定と見做されるべきでなく、ここに添付する請求項の範囲によって限定されるのみである。
【図面の簡単な説明】
【０１４９】
【図１】図１は、本発明の一実施例による導光器を斜視図で示す。
【図２】図２は、本発明の一実施例による、記録素子を含む導光器を斜視図で示す。
【図３】図３は、本発明の一実施例による導光器を後ろ側斜視図で示す。
【図４】図４は、本発明の一実施例による導光器の前側正面を示す。
【図５】図５は、本発明の一実施例による、導光器に連結するように適応された歯科用ランプヘッドを斜視図で示す。
【図６】図６は、本発明の一実施例による、導光器に連結するように適応された歯科用ランプヘッドの上面図を示す。
【図７】図７は、本発明の一実施例による、導光器に連結するように適応された歯科用ランプヘッドの後ろ側正面図を示す。
【図７ａ】図７ａは、照明枠を有する導光器の展開図を示す。
【図７ｂ】図７ｂは、照明枠の他の実施例を示す。
【図７ｃ】図７ｃは、照明枠の他の実施例を示す。
【図７ｄ】図７ｄは、ヒートシンクを有する照明枠の実施例を示す。
【図８】図８は、本発明の一実施例による、導光器を含む歯科用ランプシステムを斜視図で示す。
【図９】図９は、本発明の一実施例による、導光器に連結するように適応された開唇デバイスを斜視図で示す。
【図１０】図１０は、本発明の一実施例による、導光器および開唇デバイスの上面図を示す。
【図１１】図１１は、本発明の一実施例による、柔軟な緩衝材を有する導光器を展開図で示す。
【図１２】図１２は、本発明の一実施例による、導光器の上面図を示す。
【図１３】図１３は、導光器、ランプシステム、および開唇デバイスを含む本発明の一実施例を示す。
【図１３ａ】図１３ａは、本発明の一実施例による、制御システムをブロック図の形態で示す。
【図１４】図１４は、本発明の一実施例による、監視システム動作の方法をフローチャートの形態で示す。
【図１５】図１５は、本発明の一実施例による、監視システム動作の方法をフローチャートの形態で示す。
【図１】
2008504901.tif 000003
【図２】
2008504901.tif 000004
【図３】
2008504901.tif 000005
【図４】
2008504901.tif 000006
【図５】
2008504901.tif 000007
【図６】
2008504901.tif 000008
【図７】
2008504901.tif 000009
【図７Ａ】
2008504901.tif 000010
【図７Ｂ】
2008504901.tif 000011
【図７Ｃ】
2008504901.tif 000012
【図７Ｄ】
2008504901.tif 000013
【図８】
2008504901.tif 000014
【図９】
2008504901.tif 000015
【図１０】
2008504901.tif 000016
【図１１】
2008504901.tif 000017
【図１２】
2008504901.tif 000018
【図１３】
2008504901.tif 000019
【図１３Ａ】
2008504901.tif 000020
【図１４】
2008504901.tif 000021
【図１５】
2008504901.tif 000022
【手続補正書】
【提出日】平成19年4月5日(2007.4.5)
【手続補正１】
【補正対象書類名】特許請求の範囲
【補正対象項目名】全文
【補正方法】変更
【補正の内容】
【特許請求の範囲】
【請求項１】
第１の端部と、第２の端部と、光灯システムを信頼性良くターゲットの近くに位置決めすることを容易にさせる位置決めシステムをもたらす少なくとも１つの構造とを有する、実質的に楕円形の管を含む導光器。
【請求項２】
前記少なくとも１つの構造は、前記光灯システム内の少なくとも１つの対応する構造を内部係合させる少なくとも１つの内部係合構造を含むことを特徴とする、請求項１に記載の導光器。
【請求項３】
前記少なくとも１つの構造は、参照装置内の少なくとも１つの対応する構造を内部係合させる少なくとも１つの内部係合構造を含むことを特徴とする、請求項１に記載の導光器。
【請求項４】
光灯システムに取り外し可能に結合されるように適応された第１の端部を有する実質的に楕円形の管と、
参照装置に取り外し可能に結合されるように適応された第２の端部と、を備える導光器であって、
前記導光器が、前記光灯システムと歯科基材との間の光の通路を提供することを特徴とする導光器。
【請求項５】
前記参照装置は、開唇デバイスを含むことを特徴とする、請求項３又は４に記載の導光器。
【請求項６】
使用信号の期間の記録を格納するために前記管の下側に配置されたメモリー回路を更に含むことを特徴とする、請求項１乃至５のいずれかに記載の導光器。
【請求項７】
前記メモリー回路は、導光器が使用されてきた期間を示す、導光器の外部に配置された制御手段とインターフェースすることを特徴とする、請求項６に記載の導光器。
【請求項８】
使用信号の期間の記録を格納するために前記管に結合された記憶媒体を更に含むことを特徴とする、請求項１乃至５のいずれかに記載の導光器。
【請求項９】
前記記憶媒体は、メモリー集積回路であることを特徴とする、請求項８に記載の導光器。
【請求項１０】
前記メモリー集積回路は、１回書き込み多数回読み取りのメモリーデバイスであることを特徴とする、請求項９に記載の導光器。
【請求項１１】
前記導光器は、可視光を通す一方でＵＶ光を吸収する能力か、光波長の少なくとも１つの範囲を吸収する能力か、或いは光波長の少なくとも１つの範囲を反射する能力、を備える分光吸収特性を持ったポリマー材料で作られていることを特徴とする、請求項１乃至１０のいずれかに記載の導光器。
【請求項１２】
前記光灯システムは、相変化材料を含む少なくとも１つのヒートシンクを含むことを特徴とする、請求項１又は４に記載の導光器。
【手続補正２】
【補正対象書類名】明細書
【補正対象項目名】０１４８
【補正方法】変更
【補正の内容】
【０１４８】
本発明の望ましい実施例が上記に述べられ図示されたが、これらは本発明の例示であって限定とは考えられないと理解されるべきである。したがって、本発明は以上の記述によって限定と見做されるべきでなく、ここに添付する請求項の範囲によって限定されるのみである。
〔付記１〕
光灯システムに取り外し可能に結合されるように適応された第１の端部を有する実質的に楕円形の管と、
参照装置に取り外し可能に結合されるように適応された第２の端部と、を有する導光器であって、
前記導光器が、前記光灯システムと歯科基材との間の光の通路を提供することを特徴とする導光器。
〔付記２〕
前記導光器は、光が前記第２の端部以外から漏れることを防止するような形状で、かつそのように構成されたことを特徴とする、付記１に記載の導光器。
〔付記３〕
前記導光器は、透明または半透明の壁を有することを特徴とする、付記１に記載の導光器。
〔付記４〕
前記楕円形の管が誘電体材料からなることを特徴とする、付記１に記載の導光器。
〔付記５〕
前記楕円形の管は、実質的に中空であることを特徴とする、付記１に記載の導光器。
〔付記６〕
前記誘電体材料はポリマーであることを特徴とする、付記４に記載の導光器。
〔付記７〕
前記導光器は、可視光を通す一方でＵＶ光を吸収する分光吸収特性を持ったポリマー材料で作られていることを特徴とする、付記１に記載の導光器。
〔付記８〕
前記導光器は、光波長の少なくとも１つの範囲を吸収する材料で作られていることを特徴とする、付記１に記載の導光器。
〔付記９〕
前記導光器は、光波長の少なくとも１つの範囲を反射する材料で作られていることを特徴とする、付記１に記載の導光器。
〔付記１０〕
前記楕円形の管は、少なくとも１つの空気孔を更に有することを特徴とする、付記１に記載の導光器。
〔付記１１〕
前記第２の端部に取り付けられる弾性部材をさらに有し、前記弾性部材は前記導光器と前記参照装置との間の緩衝材を形成することを特徴とする、付記１に記載の導光器。
〔付記１２〕
前記光灯システムは、幾何学的に配置される少なくとも１つの光源を含む照明枠を有することを特徴とする、付記１に記載の導光器。
〔付記１３〕
前記参照装置は、開唇デバイスを有することを特徴とする、付記１に記載の導光器。
〔付記１４〕
前記導光器は、消毒可能でない材料、オートクレーブ滅菌が出来ない材料、またはその混合材料を含むことを特徴とする、単独患者用に適した付記１に記載の導光器。
〔付記１５〕
光灯システムを信頼性良くターゲットの近くに位置決めすることを容易にさせる位置決めシステムをもたらす少なくとも１つの構造を有する、実質的に楕円形の管を含む導光器。
〔付記１６〕
前記少なくとも１つの構造は、前記光灯システム内の少なくとも１つの対応する構造を内部係合させる少なくとも１つの内部係合構造を含むことを特徴とする、付記１５に記載の導光器。
〔付記１７〕
前記少なくとも１つの構造は、参照装置内の少なくとも１つの対応する構造を内部係合させる少なくとも１つの内部係合構造を含むことを特徴とする、付記１５に記載の導光器。
〔付記１８〕
前記参照装置は、開唇デバイスを含むことを特徴とする、付記１７項に記載の導光器。
〔付記１９〕
前記光灯システムは、幾何学的に配置される少なくとも１つの光源を含む照明枠を含むことを特徴とする、付記１５に記載の導光器。
〔付記２０〕
前記弾性部材は、エラストマー、発泡材、生物分解性材料、およびそれらの組み合わせからなる群から選択される材料から作られていることを特徴とする、付記１１に記載の導光器。
〔付記２１〕
光源に取り外し可能に結合されるように適応された１つの端部に、第１の開口を有する実質的に楕円形の管と、
開唇デバイスに取り外し可能に結合されるように適応された第２の端部での第２の開口と、
使用信号の期間の記録を格納するために前記管の下側に配置されたメモリー回路とを含む、単独患者用の導光器。
〔付記２２〕
前記メモリー回路は、導光器が使用されてきた期間を示す、導光器の外部に配置された制御手段とインターフェースすることを特徴とする、付記２１に記載の単独患者用の導光器。
〔付記２３〕
前記第２の端部に取り付けられた弾性部材を有し、前記弾性部材は前記光源と前記開唇デバイスとの間の緩衝材を形成することを特徴とする、付記２１に記載の単独患者用の導光器。
〔付記２４〕
光源に取り外し可能に結合されるように適応された１つの端部に、第１の開口を有する実質的に楕円形の管と、
開唇デバイスに取り外し可能に結合されるように適応された第２の端部での第２の開口と、
使用信号の期間の記録を格納するために前記管に結合された記憶媒体とを含む、単独患者用の導光器。
〔付記２５〕
前記記憶媒体は、メモリー集積回路であることを特徴とする、付記２４に記載の単独患者用の導光器。
〔付記２６〕
前記メモリー集積回路は、１回書き込み多数回読み取りのメモリーデバイスであることを特徴とする、付記２５に記載の単独患者用の導光器。
〔付記２７〕
前記光灯システムは、相変化材料を含む少なくとも１つのヒートシンクを含むことを特徴とする、付記１に記載の導光器。
【国際調査報告】
2008504901.tif 000023
2008504901.tif 000024